(57)【要約】【課題】プロジェクターの入力ソースの切り換えを容易とすることで操作性の向上を図る。【解決手段】表示する画像の入力ソースを切り替える入力ソース切替部３０を備えるプロジェクター１０に接続される書画カメラ５０において、書画カメラ５０との間で通信を行うためのＵＳＢインターフェイス部７６と、使用者により操作される入力ソース切替用ボタンＳＢと、制御部７０とを備えた構成とする。制御部７０は、入力ソース切替用ボタンＳＢが操作されたときに、入力ソースの切り替えを実行させるための指令信号を、ＵＳＢインターフェイス部７６を介してプロジェクター１０に出力する。【選択図】図２
2011188407.tif 000002
【特許請求の範囲】
【請求項１】
入力ソース切替部を備える画像表示装置に接続され、入力ソースの一つとなり得る画像信号を前記画像表示装置に出力する画像信号供給装置において、
前記画像表示装置との間で通信を行うための通信部と、
前記入力ソースの切り替えを実行させるための指令信号を、前記通信部を介して前記画像表示装置に出力する切替指令出力部と
を備えることを特徴とする画像信号供給装置。
【請求項２】
請求項１に記載の画像信号供給装置であって、
被写体を撮像する撮像部を備える画像信号供給装置。
【請求項３】
請求項１または２に記載の画像信号供給装置であって、
所定の操作を受け付けるスイッチを備え、
前記切替指令出力部は、
前記スイッチに対してなされた前記所定の操作に基づき、前記指令信号の出力を行う構成である画像信号供給装置。
【請求項４】
請求項２に記載の画像信号供給装置であって、
前記撮像部を保持するように構成された折りたたみ可能なアームと、
前記アームが展開された状態にあることを検知するアーム展開検知部と、を備え、
前記切替指令出力部は、
前記アーム展開検知部によりアームが展開された状態にあることが検知されたときに、前記指令信号の出力を行う構成である画像信号供給装置。
【請求項５】
請求項１ないし４のいずれかに記載の画像信号供給装置であって、
前記通信部は、ＵＳＢの規格に則った通信を行う構成である画像信号供給装置。
【請求項６】
画像信号供給装置と接続される画像表示装置であって、
前記画像信号供給装置との間で通信を行うための通信部と、
入力ソースを切り替える入力ソース切替部と、
前記入力ソースの切り替えを実行させるための指令信号を、前記通信部を介して前記画像信号供給装置から受けたときに、前記入力ソース切替部を動作させる切替制御部と
を備える画像表示装置。
【請求項７】
請求項６に記載の画像表示装置であって、
光源と、
前記光源から射出される光を、前記画像信号供給装置から供給される画像信号に基づき画像光に変調する光変調素子と、
前記画像光を投写する投写レンズと
を備えたプロジェクターであることを特徴とする画像表示装置。
【請求項８】
画像表示装置と、前記画像表示装置に接続される画像信号供給装置とを備える画像表示システムであって、
前記画像表示装置は、
入力ソースを切り替える入力ソース切替部を備え、
前記画像信号供給装置は、
前記画像表示装置との間で通信を行うための通信部と、
前記入力ソースの切り替えを実行させるための指令信号を、前記通信部を介して前記画像表示装置に出力する切替指令出力部と
備える、画像表示システム。
【請求項９】
入力ソースを切り替える入力ソース切替部を備える画像表示装置に接続され、前記入力ソースの一つとなり得る画像信号を前記画像表示装置に入力する画像信号供給装置の制御方法であって、
前記画像表示装置との接続を確立するステップと、
前記入力ソースの切り替えを実行させるための指令信号を、前記通信部を介して前記画像表示装置に出力するステップと、
を備えることを特徴とする画像信号供給装置の制御方法。
【請求項１０】
請求項９に記載の画像信号供給装置の制御方法であって、
被写体を撮像する撮像部を用意するステップを、さらに有することを特徴とする画像信号供給装置の制御方法。
【請求項１１】
請求項９に記載の画像信号供給装置の制御方法であって、
所定の操作を受け付けるスイッチを用意するステップと、
前記スイッチを介して受け付けられた前記所定の操作に基づき、前記指令信号を出力するステップと、をさらに有する画像信号供給装置の制御方法。
【請求項１２】
請求項９に記載の画像信号供給装置の制御方法であって、
前記撮像部を保持するように構成された折りたたみ可能なアームを用意するステップと、
前記アームが展開された状態にあることを検知するアーム展開検知部を用意するステップと、
前記アーム展開検知部によりアームが展開された状態にあることが検知されたときに、前記指令信号を出力するステップと、をさらに有する画像信号供給装置の制御方法。
【発明の詳細な説明】
【技術分野】
【０００１】
本発明は、画像信号供給装置と、前記画像信号供給装置と接続される画像表示装置と、前記画像信号供給装置と画像表示装置とを備える画像表示システムとに関する。
【背景技術】
【０００２】
近年、書画カメラをプロジェクターに接続し、書画カメラで撮像した画像をプロジェクターで投影するということが、プレゼンテーション等で有効活用されている。こうした画像表示システムの一つとして、プロジェクターで投影される画像の色あいや明度等を、書画カメラ側から制御可能とする構成が提案されている（特許文献１）。
【先行技術文献】
【特許文献】
【０００３】
【特許文献１】特開２００３−１０１８１８号公報
【発明の概要】
【発明が解決しようとする課題】
【０００４】
しかしながら、上記従来の技術でも、次の理由により、使用者の操作性は優れたものではなかった。プロジェクターは、複数の入力インターフェイスを通常備えており、書画カメラ以外の入力機器と接続して映像を表示しているときに、書画カメラが接続された場合、書画カメラの画像を即座に表示することができない。このために、使用者は、プロジェクターリモコン、もしくはプロジェクターに備えられたパネルスイッチを操作することにより、入力ソースを書画カメラへ切り換える必要がある。しかし、その際に、使用者は、プロジェクターやプロジェクターリモコンが載置されている場所まで移動する必要があり、操作性は悪かった。
【０００５】
本発明は、上述した従来の課題を解決するためになされたものであり、プロジェクターの入力ソースの切り換えを容易とすることで操作性の向上を図ることを目的とする。
【課題を解決するための手段】
【０００６】
上記課題の少なくとも一部を解決するために、本発明は、以下の形態または適用例として実現することが可能である。
【０００７】
［適用例１］入力ソース切替部を備える画像表示装置に接続され、入力ソースの一つとなり得る画像信号を前記画像表示装置に出力する画像信号供給装置において、前記画像表示装置との間で通信を行うための通信部と、前記入力ソースの切り替えを実行させるための指令信号を、前記通信部を介して前記画像表示装置に出力する切替指令出力部とを備えることを特徴とする画像信号供給装置。
【０００８】
適用例１に記載の画像信号供給装置では、入力ソースの切り替えを実行させるための指令信号を、切替指令出力部により通信部を介して画像表示装置に出力することにより、画像信号供給装置側から、画像表示装置の表示する画像の入力ソースを切り替えることができる。したがって、適用例１に記載の画像信号供給装置では、使用者は、画像表示装置やその画像表示装置用リモコンが載置されている場所まで移動する必要がないことから、利便性が高い。
【０００９】
［適用例２］上記適用例に記載の画像信号供給装置であって、被写体を撮像する撮像部を備える画像信号供給装置。
【００１０】
適用例２に記載の画像信号供給装置は、被写体を撮像するカメラとして活用することができる。
【００１１】
［適用例３］上記適用例に記載の画像信号供給装置であって、所定の操作を受け付けるスイッチを備え、前記切替指令出力部は、前記スイッチに対してなされた所定の操作に基づき、前記指令信号の出力を行う構成である、画像信号供給装置。
【００１２】
適用例３に記載の画像信号供給装置では、使用者がスイッチを操作するだけで、入力ソースの切り替えを実行させるための指令信号を画像表示装置に出力することができる。したがって、操作性により優れている。
【００１３】
［適用例４］適用例２に記載の画像信号供給装置であって、前記撮像部を保持するように構成された折りたたみ可能なアームと、前記アームが展開された状態にあることを検知するアーム展開検知部とを備え、前記切替指令出力部は、前記アーム展開検知部によりアームが展開された状態にあることが検知されたときに、前記指令信号の出力を行う構成である画像信号供給装置。
【００１４】
適用例４に記載の画像信号供給装置では、使用者が、画像信号供給装置を用いて撮像を行うに際して撮像部を保持するアームを展開する作業を行うだけで、入力ソースの切り替えを実行させるための指令信号を画像表示装置に出力することができる。したがって、操作性により優れている。
【００１５】
［適用例５］上記適用例に記載の画像信号供給装置であって、前記通信部は、ＵＳＢの規格に則った通信を行う構成である、画像信号供給装置。
【００１６】
適用例５に記載の画像信号供給装置では、汎用的なインターフェイスであるＵＳＢを用いて通信を行うことができる。
【００１７】
［適用例６］画像信号供給装置と接続される画像表示装置であって、前記画像信号供給装置との間で通信を行うための通信部と、表示する画像の入力ソースを切り替える入力ソース切替部と、前記入力ソースの切り替えを実行させるための指令信号を、前記通信部を介して前記画像信号供給装置から受けたときに、前記入力ソース切替部を動作させる切替制御部とを備える画像表示装置。
【００１８】
［適用例７］画像表示装置と、前記画像表示装置に接続される画像信号供給装置とを備える画像表示システムであって、前記画像表示装置は、表示する画像の入力ソースを切り替える入力ソース切替部を備え、前記画像信号供給装置は、前記画像表示装置との間で通信を行うための通信部と、前記入力ソースの切り替えを実行させるための指令信号を、前記通信部を介して前記画像表示装置に出力する切替指令出力部とを備える、画像表示システム。
【００１９】
適用例６に記載の画像表示装置および適用例７に記載の画像表示システムでは、画像信号供給装置側から、表示する画像の入力ソースを切り替えることができる。したがって、適用例６に記載の画像表示装置および適用例７に記載の画像表示システムでは、画像信号供給装置の使用者は、画像表示装置の入力ソースを切り替えるために、画像表示装置やその画像表示装置用リモコンが載置されている場所まで移動する必要がないことから、操作性に優れている。
【００２０】
なお、本発明は、種々の態様で実現することが可能であり、例えば、前記画像信号供給装置または前記画像表示装置の各部を実現するための方法、前記各部を実現するためのコンピュータープログラム、そのコンピュータープログラムを記録した記録媒体、そのコンピュータープログラム等の形態で実現することができる。
【００２１】
［適用例８］画像表示装置と、前記画像表示装置に接続される画像信号供給装置とを備える画像表示システムであって、前記画像表示装置は、入力ソースを切り替える入力ソース切替部を備え、前記画像信号供給装置は、前記画像表示装置との間で通信を行うための通信部と、前記入力ソースの切り替えを実行させるための指令信号を、前記通信部を介して前記画像表示装置に出力する切替指令出力部と備えることが好ましい。
【００２２】
［適用例９］本適用例記載の画像信号供給装置の制御方法は、入力ソースを切り替える入力ソース切替部を備える画像表示装置に接続され、前記入力ソースの一つとなり得る画像信号を前記画像表示装置に入力する画像信号供給装置の制御方法であって、前記画像表示装置との接続を確立するステップと、前記入力ソースの切り替えを実行させるための指令信号を、前記通信部を介して前記画像表示装置に出力するステップと、を備えることを特徴とする。
【００２３】
［適用例１０］上記適用例に記載の画像信号供給装置の制御方法であって、被写体を撮像する撮像部を用意するステップを、さらに有することが好ましい。
【００２４】
［適用例１１］上記適用例に記載の画像信号供給装置の制御方法であって、所定の操作を受け付けるスイッチを用意するステップと、前記スイッチを介して受け付けられた前記所定の操作に基づき、前記指令信号を出力するステップと、をさらに有することが好ましい。
【００２５】
［適用例１２］上記適用例に記載の画像信号供給装置の制御方法であって、前記撮像部を保持するように構成された折りたたみ可能なアームを用意するステップと、前記アームが展開された状態にあることを検知するアーム展開検知部を用意するステップと、前記アーム展開検知部によりアームが展開された状態にあることが検知されたときに、前記指令信号を出力するステップと、をさらに有することが好ましい。
【図面の簡単な説明】
【００２６】
【図１】本発明の一実施例としてのプロジェクターシステム１００の概略構成を示す説明図である。
【図２】プロジェクター１０と書画カメラ５０の内部構成を示す説明図である。
【図３】書画カメラ５０の制御部７０により実行される切替指令発行処理を示すフローチャートである。
【図４】プロジェクター１０の制御部２０により実行される切替実行処理を示すフローチャートである。
【図５】ステップＳ２３０ないしＳ２６０の繰り返しの処理により実現される入力ソースの切り替えの様子の一例を示す説明図である。
【図６】入力ソース一覧画面ＳＳの一例を示す説明図である。
【図７】入力ソース検出中画面ＳＴの一例を示す説明図である。
【図８】プロジェクター１０の投写部３４の内部構成を示す説明図である。
【発明を実施するための形態】
【００２７】
以下、本発明の実施の形態を、図面を参照しつつ実施例に基づいて説明する。
【００２８】
１．ハードウェアの構成：
図１は、本発明の一実施例としてのプロジェクターシステムの概略構成を示す説明図である。図示するように、プロジェクターシステム１００は、プロジェクター１０と、このプロジェクター１０に接続される４台の画像入力機器、すなわち、書画カメラ５０と、パーソナルコンピューター９０と、ビデオテープレコーダー（ＶＴＲ）９１と、ＤＶＤプレーヤー９２とを備える。これら画像入力機器は、プロジェクター１０に対して画像の入力ソースを提供する。ここで、画像とは、静止画、動画（すなわち映像）のいずれであってもよい。書画カメラ５０は映像を取得する。プロジェクター１０は、これら入力ソースのうちから所望のものを選択し、その選択した入力ソースに基づいて、画像をスクリーンＳＣに表示（投写）する。
【００２９】
書画カメラ５０は、基台５２と、載置面５４と、アーム５６と、カメラヘッド５８と、操作パネル６０等を備える。載置面５４は、基台５２上に設けられ、文字や絵が描かれた紙や、立体的な物等の被写体Ｔが載置される。アーム５６は、カメラヘッド５８を保持する。カメラヘッド５８は、レンズ、ＬＥＤ、およびＣＣＤなどの光電変換素子等を備えて構成され、載置面５４に載置された被写体Ｔを撮像する。操作パネル６０は、複数のボタン（ボタン型のスイッチ）を備え、使用者による書画カメラ５０に対する操作指令を入力する。
【００３０】
なお、アーム５６は、基台５２から上方側に延びて固定されたものであってもよいし、基台５２に向けて折りたたみ可能に回動する構成としてもよい。折りたたみ可能とすることで、書画カメラ５０をコンパクトにまとめることができる。折りたたまれたアーム５６を展開することによって被写体の撮像が可能になる。
【００３１】
かかる構成の書画カメラ５０によれば、載置面５４に載置された被写体Ｔを撮像し、その撮像により得られた画像を示す画像信号をプロジェクター１０に出力する。なお、プロジェクター１０と書画カメラ５０との間は、ＵＳＢケーブル６２を介してＵＳＢ接続されている。
【００３２】
図２は、プロジェクター１０と書画カメラ５０の内部構成を示す説明図である。図示するように、プロジェクター１０は、制御部２０、記憶部２２、操作部２４、ＵＳＢインターフェイス部（ＵＳＢＩ／Ｆ部）２６、入力インターフェイス部（入力Ｉ／Ｆ部）２８、入力ソース切替部３０、画像処理部３２、および投写部３４を備える。バス３６で、制御部２０と、投写部３４を除く各部（記憶部２２〜画像処理部３２）との間を接続する。
【００３３】
制御部２０は、ＣＰＵなどにより構成され、記憶部２２に記憶されているコンピュータープログラムに従って作動し、各部（記憶部２２〜画像処理部３２）を制御する。記憶部２２は、画像データや各種のコンピュータープログラムを記憶する。各種のコンピュータープログラムとしては、周知のＵＳＢモジュール、ＵＳＢクラスドライバー、画像表示プログラム、および後述する切替実行処理用のプログラム等が記憶されている。操作部２４は、プロジェクター１０に使用者からの操作指令を入力するためのもので、操作パネル（図示せず）、リモコン受光部（図示せず）等を含む。なお、操作パネルとリモコンには、プロジェクター１０で表示する画像の入力ソースを切り換えるための入力ソース切替用ボタン（図示せず）を備える。
【００３４】
ＵＳＢインターフェイス部２６は、ＵＳＢ（ユニバーサル・シリアル・バス）の規格に則って外部機器と制御データや画像データ等をやり取りするためのインターフェイスである。本実施例では、書画カメラ５０はこのＵＳＢインターフェイス部２６と接続されている。
【００３５】
入力インターフェイス部２８は、ＵＳＢ以外の外部機器と制御データおよび画像データをやり取りするためのインターフェイスであり、ここでは、ＲＧＢインターフェイス、ビデオインターフェイス、Ｓ−ビデオインターフェイス等を含む。ＲＧＢインターフェイスにはパーソナルコンピューター９０が、ビデオインターフェイスにはＶＴＲ９１が、Ｓ−ビデオインターフェイスにはＤＶＤプレーヤー９２がそれぞれ接続されている。
【００３６】
入力ソース切替部３０は、ＵＳＢインターフェイス部２６と、入力インターフェイス部２８に備えられる各インターフェイスとの中から１つのインターフェイスを選択することで、プロジェクター１０で表示する画像の入力ソースを切り替える。
【００３７】
画像処理部３２は、入力ソース切替部３０により選択されたインターフェイスから入力される画像データもしくは映像データに基づいて画像表示用の表示用画像データを生成する。投写部３４は、図８に示すように、光源３４２、光変調素子３４４（３４４Ｒ，３４４Ｇ，３４４Ｂ）、投写レンズ３４６、照明光学系３４１、色分離光学系３４３、リレー光学系３４５および、合成光学系３４７等を備えて構成される。なお、本実施例のプロジェクター１０は、光変調素子３４４として透過型液晶パネルを採用する。光源３４２から射出された白色光は、照明光学系３４１、色分離光学系３４３、リレー光学系３４５を経て、赤光、緑光および青光に分離され、それぞれ、画像処理部３２によって生成される表示用画像データに基づいて光変調素子３４４により光変調された後、合成光学系３４７に入射する。光変調素子３４４によって変調された各色の画像光は、合成光学系３４７によって合成され、投写レンズ３４６から投写される。合成光学系３４７は、ダイクロイックプリズム等によって構成することができる。
【００３８】
図２に図示するように、書画カメラ５０は、制御部７０、記憶部７２、操作部７４、ＵＳＢインターフェイス部（ＵＳＢＩ／Ｆ部）７６、照明部７８、照明制御部８０、撮像部８２、画像処理部８４、および解像度変換部８６を備える。バス８８で、制御部７０と、照明部７８および撮像部８２を除く各部７２〜７６、８０、８４、８６との間を接続する。
【００３９】
制御部７０は、ＣＰＵ、ＤＳＰなどにより構成され、記憶部７２に記憶されているコンピュータープログラムに従って作動し、書画カメラ５０に備えられる各部７０〜８６を制御する。記憶部７２は、画像データや各種のコンピュータープログラムを記憶する。各種のコンピュータープログラムとしては、周知のＵＳＢモジュール、ＵＳＢクラスドライバー、および後述する切替指令発行処理用のプログラム等が記憶されている。
【００４０】
操作部７４は、書画カメラ５０に使用者からの操作指令を入力するためのもので、書画カメラ５０に設けられている操作パネル６０（図１）を含む。また、操作部７４は、入力ソース切替用ボタンＳＢを備える。入力ソース切替用ボタンＳＢは、図１で示した操作パネル６０に設けられたもので、その機能については後ほど詳述する。
【００４１】
ＵＳＢインターフェイス部７６は、ＵＳＢの規格に則って外部機器と制御データや画像データ等をやり取りするためのインターフェイスである。本実施例では、このＵＳＢインターフェイス部７６は、プロジェクター１０のＵＳＢインターフェイス部２６と接続されている。このＵＳＢインターフェイス部７６が、本発明の構成要素である「通信部」に相当する。
【００４２】
照明部７８は、被写体Ｔに光を照射するＬＥＤなどの光源である。照明制御部８０は、照明部７８のオン／オフなどを制御する。撮像部８２は、ＣＣＤなどの光電変換素子や、ＡＥ（自動露出）／ＡＦ（自動フォーカス）制御を行う駆動部等を備える。撮像部８２はカメラヘッド５８（図１）に内蔵される。画像処理部８４は、撮像部８２により得られた画像を示す画像信号に対してホワイトバランスなどの画像処理を施す。解像度変換部８６は、撮像部８２により得られた画像の解像度をプロジェクター１０が要求した解像度へ変換する。このプロジェクター１０の要求は、ＵＳＢＩ／Ｆ部７６を介してプロジェクター１０から送られてくる。
【００４３】
以上のように構成されたプロジェクター１０および書画カメラ５０は、次のように動作して、被写体Ｔ（図１）の画像の表示を行う。すなわち、書画カメラ５０とプロジェクター１０とがＵＳＢケーブル６２を用いて接続されると、プロジェクター１０はＵＳＢＩ／Ｆ部２６を介して書画カメラ５０のＵＳＢＩ／Ｆ部７６との間の接続を確立する。
【００４４】
続いて、書画カメラ５０側では、制御部７０は、操作部７４の操作を受けると、照明制御部８０、画像処理部８４、および解像度変換部８６を制御することで、載置面５４（図１）に載置された被写体Ｔの撮像を行い、その撮像により得られた画像信号を記憶部７２に一旦記憶する。その後、制御部７０は、ＵＳＢＩ／Ｆ部７６を介して、記憶部７２に記憶された画像信号をプロジェクター１０側に送信する。
【００４５】
プロジェクター１０側では、制御部２０は、ＵＳＢＩ／Ｆ部２６を介して、書画カメラ５０から送られてくる画像信号を受信し、画像処理部３２を制御することで、その受信した画像信号に基づいて表示用画像データを生成する。この結果、投写部３４により、前記表示用画像データに基づいて光変調した投写光が投写される。この結果、スクリーンＳＣ（図１）に被写体Ｔの画像が表示される。
【００４６】
プロジェクター１０は、先に説明したように、書画カメラ５０以外にも種々の入力ソースを備える。プロジェクター１０の制御部２０は、操作部２４に備えられた入力ソース切替用ボタン（図示せず）に対する使用者による操作を受けたときに、入力ソース切替部３０を作動させて、ＵＳＢインターフェイス部２６、および入力インターフェイス部２８に備えられる各インターフェイスの中から一つのインターフェイスを選択することで、プロジェクター１０で表示する画像の入力ソースの切り替えを行う。
【００４７】
さらに、本実施例では、書画カメラ５０側の操作部７４にも前述したように入力ソース切替用ボタンＳＢを備える。この入力ソース切替用ボタンＳＢが使用者により操作されたときにも同様に、プロジェクター１０で表示する画像の入力ソースの切り替えを行う。以下に、入力ソース切替用ボタンＳＢが押されたときの書画カメラ５０およびプロジェクター１０の動作について詳細に説明する。
【００４８】
２．ソフトウェアの構成：
図３は、書画カメラ５０の制御部７０により実行される切替指令発行処理を示すフローチャートである。この切替指令発行処理は所定時間毎に繰り返し実行される。まず、書画カメラ５０とプロジェクター１０とがＵＳＢケーブル６２により電気的に接続されると、プロジェクター１０は、書画カメラ５０を検出し、ディスクリプターの送信を要求する。この要求に書画カメラ５０が応答して、ディスクリプター情報をプロジェクター１０に送信することにより、書画カメラ５０とプロジェクター１０とのＵＳＢ接続が確立する（ステップＳ１００）。この実施例において、プロジェクター１０を「ホスト」、書画カメラ５０を「デバイス」とする。「ホスト」および「デバイス」の定義は、ＵＳＢプロトコルに従うものとする。続いて、書画カメラ５０の制御部７０は、操作パネル６０に設けられた入力ソース切替用ボタンＳＢが押されたか否かを判定する（ステップＳ１１０）。ここで、入力ソース切替用ボタンＳＢが押されたと判定された場合に、制御部７０は、入力ソースの切替を実行させるための指令信号（以下、「入力ソース切替指令信号」と呼ぶ）を、ＵＳＢＩ／Ｆ部７６を介してプロジェクター１０に送信する（ステップＳ１２０）。詳しくは、書画カメラ５０は、種々のボタンについてのボタンＩＤと、ボタンのプッシュまたはボタンのリリースイベントとを入力ソース切替指令信号としてプロジェクター１０に送信するように構成されている。
【００４９】
ＵＳＢＩ／Ｆ部７６からの入力ソース切替指令信号の送信は、実際は、ＵＳＢ通信制御における「コントロール転送」または「インターラプト転送」によって行なわれる。すなわち、入力ソース切替用ボタンＳＢが押されたことを示すデータを記憶部７２に一旦記憶しておき、プロジェクター１０側からＵＳＢＩ／Ｆ部２６を介して上記データを取り込むことにより、入力ソース切替指令信号の送信は実現されている。換言すれば、上記入力ソース切替用ボタンＳＢが押されたことを示すデータが、入力ソース切替指令信号として送信される。
【００５０】
制御部７０および制御部７０で実行されるステップＳ１２０の処理が、本発明の構成要素である「切替指令出力部」に相当する。ステップＳ１２０の実行後、「リターン」に抜けて、この切替指令発行処理を一旦終了する。一方、ステップＳ１１０で、入力ソース切替用ボタンＳＢが押されていないと判定された場合には、直ちに「リターン」に抜けて、この切替指令発行処理を一旦終了する。
【００５１】
図４は、プロジェクター１０の制御部２０により実行される切替実行処理を示すフローチャートである。この切替実行処理は所定時間毎に繰り返し実行される。まず、「ホスト」であるプロジェクター１０は、「デバイス」である書画カメラ５０との接続を確立する（ステップＳ２００）。続いて、プロジェクター１０の制御部２０は、書画カメラ５０から送られてくる入力ソース切替指令信号を受信する処理を行う（ステップＳ２１０）。ここで、書画カメラ５０から入力ソース切替指令信号が送られてこないで受信に失敗した場合には、続くステップＳ２２０で否定判定、すなわち、入力ソース切替指令信号はなしと判定されて、「リターン」に抜けて、この切替実行処理を一旦終了する。
【００５２】
一方、入力ソース切替指令信号の受信に成功して、ステップＳ２２０で入力ソース切替指令信号ありと判定された場合には、制御部２０は、入力ソース切替部３０を動作させて、表示されている入力ソースを次のものに切り替える入力ソース切替処理を実行する（ステップＳ２３０）。
【００５３】
プロジェクター１０においては、前述したように、複数の入力ソースが選択可能となっているが、これらソースには予め順位がふられている。例えば、「コンピューター」→「ビデオ」→「Ｓ−ビデオ」→「カメラ」の順に順位がふられている。ここで、「コンピューター」はパーソナルコンピューター９０であり、「ビデオ」はＶＴＲ９１であり、「Ｓ−ビデオ」はＤＶＤプレーヤー９２であり、「カメラ」は書画カメラ５０である。入力ソース切替部３０は、次の順位のものに入力ソースを切り替える処理を行う。
【００５４】
その後、制御部２０は、ステップＳ２３０で切り替えられた入力ソースから画像信号が入力されているか否かを判定する（ステップＳ２４０）。ここで、画像信号の入力ありと判定された場合には、制御部２０は、画像処理部３２を動作させて、その入力された入力ソースに基づく画像表示を行う（ステップＳ２５０）。
【００５５】
一方、ステップＳ２４０で、前記入力ソースから画像信号の入力がないと判定された場合には、ステップＳ２６０に処理を進めて、現在表示されている入力ソース以外のすべての入力ソースについての入力探索が終了したか否かを判定する。ここで、すべての入力ソースについての入力探索が終了していないと判定された場合には、ステップＳ２３０に処理を戻して、入力ソースを次のものに切り替える。
【００５６】
図５は、ステップＳ２３０ないしＳ２６０の繰り返しの処理により実現される入力ソースの切り替えの様子の一例を示す説明図である。図中の（ａ）に示すように、「コンピューター」の入力ソースに基づく画像が表示されているときに、（ｂ）に示すように、入力ソース切替用ボタンＳＢが押されると、（ｃ）に示すように、入力ソースは次の「ビデオ」に移行する（ステップＳ２３０）が、「ビデオ」であるＶＴＲ９１から画像信号の入力がないと（ステップＳ２４０：ＮＯ）、（ｄ）に示すように、入力ソースはさらに次の「Ｓ−ビデオ」に移行する（ステップＳ２３０）。ここで、「Ｓ−ビデオ」であるＤＶＤプレーヤー９２から画像信号の入力がある場合には（ステップＳ２４０：ＹＥＳ）、そのＤＶＤプレーヤー９２に基づく画像が表示される（ステップＳ２５０）。
【００５７】
図５（ｅ）に示すように、もう１度、入力ソース切替用ボタンＳＢが押された場合、入力ソースは次の「カメラ」に移行し、「カメラ」である書画カメラ５０から画像信号の入力がある場合に、（ｆ）に示すように、その書画カメラ５０に基づく画像が表示される（ステップＳ２５０）。（ｇ）に示すように、さらにもう１度、入力ソース切替用ボタンＳＢが押された場合、入力ソースは順位が最初のものである「コンピューター」に移行し、「コンピューター」であるパーソナルコンピューター９０から画像信号の入力がある場合に、（ａ）に示すように、そのパーソナルコンピューター９０に基づく画像が表示される（ステップＳ２５０）。
【００５８】
なお、図４に戻って、ステップＳ２６０で、現在表示されている入力ソース以外のすべての入力ソースについての入力探索が終了したと判定された場合には、制御部２０は、入力ソース一覧画面を表示する処理を行う（ステップＳ２７０）。すべての入力ソースについての入力探索が終了したと判定された場合には、現在表示されている画像信号しかプロジェクター１０に入力されていないということであることから、スクリーンＳＣに入力ソース一覧画面を表示して、使用者に対して後述する操作を促す。
【００５９】
図６は、入力ソース一覧画面ＳＳの一例を示す説明図である。図示するように、入力ソース一覧画面ＳＳには、プロジェクター１０に接続される画像入力機器の全てのソース名が一覧として表示されている。各ソース名には、画像信号の入力の有無が表示されている。各ソース名は、使用者による書画カメラ５０の操作により選択が可能となっている。すなわち、使用者は、操作パネル６０を操作することで、複数のソース名から表示したいものを選択する。この選択の指令は書画カメラ５０からプロジェクター１０に送られる。
【００６０】
図４に戻り、ステップＳ２７０に続くステップＳ２８０で、制御部２０は、上記書画カメラ５０からの選択指令を受けて、選択された入力ソースに基づく画像の表示を行う。この結果、使用者が入力ソース一覧画面ＳＳから選択したソース名の入力ソースがスクリーンＳＣに表示されることになる。特に、選択された入力ソースが書画カメラ５０である場合にも、書画カメラ５０が撮像した画像データの取得が開始され、書画カメラ５０の画像データの表示がなされることになる。なお、書画カメラ５０からの選択指令が一定時間なかった場合には、入力ソース一覧画面ＳＳの表示を終了し（非表示）とする。
【００６１】
ステップＳ２８０の実行後、もしくはステップＳ２５０の実行後、「リターン」に抜けて、この切替実行処理を一旦終了する。
【００６２】
３．作用、効果：
以上のように構成された本実施例のプロジェクターシステム１００では、書画カメラ５０の入力ソース切替用ボタンＳＢを押すことで、プロジェクター１０で表示されている入力ソースを切り替えることができる。このために、使用者は、プロジェクターやプロジェクターリモコンが載置されている場所まで移動することなく、表示されている入力ソースの切り替えを行うことができ、特に、必要な回数だけ入力ソース切替用ボタンＳＢを押すことで、書画カメラ５０に入力ソースを切り替えることもできる。したがって、使用者の操作性を向上することができるという効果を奏する。
【００６３】
また、本実施例では、書画カメラ５０の入力ソース切替用ボタンＳＢを押すという操作がなされる毎に、表示されている入力ソースを１つずつ切り替えることで、切り替えた入力ソースの画面を順次、使用者に視認させることができる。このために、使用者は入力ソースの切り替えを誤ることがない。また、使用者は、書画カメラ５０から、書画カメラ以外の入力ソースへの切り替えも行うことができるという副次的な効果も奏する。
【００６４】
さらに、本実施例では、入力ソース切替用ボタンＳＢを押しても、画像信号が入力されていない入力ソースは飛び越されることから、目的の画像を素早く表示することができる。また、現在投写されている画像信号しか入力されていない場合や画像信号がまったく入力されていない場合にも入力ソース一覧画面を用いることで、入力ソースの選択が可能となる。
【００６５】
４．変形例：
なお、この発明は上記の実施例やその変形例に限られるものではなく、その要旨を逸脱しない範囲において種々の態様において実施することが可能であり、例えば次のような変形も可能である。
【００６６】
（１）上記実施例では、入力ソース切替用ボタンＳＢを押して、現在投写（表示）されている画像信号しか入力されていない場合に、入力ソース一覧画面を表示するように構成したが、これに替えて、入力ソース切替用ボタンＳＢが押されたときに、画像信号の入力の有無にかかわらず直ちに入力ソース一覧画面を表示する構成としてもよい。これにより、表示したい入力ソースの選択を素早く行うことができる。
【００６７】
（２）上記実施例では、入力ソース切替用ボタンＳＢを操作することで、表示されている入力ソースを書画カメラ以外にも順次切り替え可能としたが、これに替えて、入力ソース切替用ボタンＳＢが操作されたときに、入力ソースをダイレクトに書画カメラへ切り替え可能としてもよい。すなわち、プロジェクターは、書画カメラからの入力ソース切替指令信号を受信すると、表示する入力ソースとして書画カメラを探索して、書画カメラからの画像データを表示する。なお、その書画カメラの探索中においては、図７に示す入力ソース検出中画面ＳＴをプロジェクターはスクリーンに表示する構成とすることが好ましい。
【００６８】
（３）上記実施例では、書画カメラ５０が入力ソース切替指令信号を出力するのは、入力ソース切替用ボタンＳＢが使用者により操作されたときとしたが、これに換えて、書画カメラ５０のアーム５６が展開された状態にあるときとしてもよい。すなわち、書画カメラ５０に、アーム５６が展開された状態にあることを検知するアーム展開検知部としてのスイッチを設け、このスイッチがその展開を検知したときに、入力ソース切替指令信号を出力する構成としてもよい。この構成によれば、使用者が、書画カメラ５０を用いて撮像を行うに際してカメラヘッド５８を保持するアーム５６を展開する作業を行うだけで、入力ソース切替指令信号をプロジェクター１０に出力することができる。したがって、操作性により優れている。なお、書画カメラ５０が入力ソース切替指令信号を出力するのは、上記２つの場合に限る必要もなく、他のスイッチが使用者により操作されたときとしてもよい。また、必ずしも使用者による操作を受けてオンされるスイッチに限る必要もなく、所定の条件が満たされたときに、入力ソース切替指令信号を出力する構成としてもよい。
【００６９】
（４）上記実施例では、プロジェクター１０と書画カメラ５０との間はＵＳＢ接続されていたが、これに替えて、ＬＡＮ等の他の有線による接続としてもよい。また、必ずしも有線である必要はなく、ＵＳＢまたはＬＡＮ等の無線接続によるものとしてもよい。
【００７０】
（５）上記実施例では、画像信号供給装置として書画カメラ５０を用いていたが、これに替えて、撮像部を備える他の画像信号供給装置、例えば、ウェブカメラ、デジタルスチルカメラ、ビデオカメラ等を用いる構成としてもよい。
【００７１】
（６）上記実施例では、画像表示装置として、光変調素子３４４が透過型液晶パネルで構成されたプロジェクター１０を例示したが、光変調素子３４４を、反射型液晶パネルや、マイクロミラーデバイスを用いて構成することもできる。また、上記実施例では、３つの光変調素子３４４を採用したプロジェクター１０を用いて発明を説明したが、光変調素子３４４の数は、３つに限定されるものではない。たとえば、照明光学系３４１に回転するカラーホイールを設け、１個の光変調素子３４４を用いて時分割的に各色の画像光を生成するようにしてもよい。さらに、４個以上の光変調素子３４４を用いる構成も可能である。
【００７２】
（７）上記実施例では、画像表示装置として、外部のスクリーンＳＣに画像を投影するプロジェクター１０を用いていたが、これに替えて、スクリーンと、スクリーンの背面側に画像を投影するプロジェクターとを備えるプロジェクションテレビを用いる構成としてもよい。さらには、プロジェクターに限るものではなく、直視型の各種フラットパネルディスプレイ装置等の種々の画像表示装置に換えることもできる。
【００７３】
（８）また、上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【符号の説明】
【００７４】
１０…プロジェクター
２０…制御部
２２…記憶部
２４…操作部
２６…ＵＳＢインターフェイス部
２８…入力インターフェイス部
３０…入力ソース切替部
３２…画像処理部
３４…投写部
５０…書画カメラ
５２…基台
５４…載置面
５６…アーム
５８…カメラヘッド
６０…操作パネル
７０…制御部
７２…記憶部
７４…操作部
７６…ＵＳＢインターフェイス部
７８…照明部
８０…照明制御部
８２…撮像部
８４…画像処理部
８６…解像度変換部
９０…パーソナルコンピューター
９１…ビデオテープレコーダー
９２…ＤＶＤプレーヤー
１００…プロジェクターシステム
３４１…照明光学系
３４２…光源
３４３…色分離光学系
３４４Ｒ…赤光用光変調素子
３４４Ｇ…緑光用光変調素子
３４４Ｂ…青光用光変調素子
３４５…リレー光学系
３４６…投写レンズ
３４７…合成光学系
Ｔ…被写体
ＳＢ…入力ソース切替用ボタン
ＳＣ…スクリーン
ＳＳ…入力ソース一覧画面。
【図１】
2011188407.tif 000003
【図２】
2011188407.tif 000004
【図３】
2011188407.tif 000005
【図４】
2011188407.tif 000006
【図５】
2011188407.tif 000007
【図６】
2011188407.tif 000008
【図７】
2011188407.tif 000009
【図８】
2011188407.tif 000010